(57)【要約】【課題】  レンズユニットを装着せずに撮影可能な撮像装置を提供する。【解決手段】  レンズユニット２３には、撮影レンズ２４及びＣＣＤ２５が収納されている。デジタルカメラ１０は、カメラ本体１１の前面にマウント部１２が設けられており、レンズユニット２３が着脱自在に装着される。また、カメラ本体１１の上面には、撮像部１９がマウント部１２の近傍に配置されている。この撮像部１９は、撮影レンズ３１及びＣＣＤ３２を備えており、撮影レンズ３１の一部は外部に露呈されている。また、ＣＣＤ３２は、撮影レンズ３１によって結像された被写体像を撮像する。このため、レンズユニット２３が装着されていない状態でも撮影を行うことができる。また、レンズユニット２３が装着された状態でも撮影レンズ３１が覆われることがないので、ＣＣＤ２５，３２の一方を選択して撮影を行うことができる。【選択図】        図１
2006246224.tif 000002
【特許請求の範囲】
【請求項１】
第１撮影レンズ及び第１撮像素子を有する交換式のレンズユニットが着脱自在に装着される装着部を備えた撮像装置において、
前記装着部の近傍に配置され、撮像装置本体の外部に露呈された第２撮影レンズと、
前記第２撮影レンズによって結像された被写体像を撮像する第２撮像素子とを備えていることを特徴とする撮像装置。
【請求項２】
前記第２撮影レンズは、前記装着部よりも上方または左右の近傍に配置されていることを特徴とする請求項１記載の撮像装置。
【請求項３】
前記第２撮影レンズ及び前記第２撮像素子を有する撮像部が、前記撮像装置本体に対して上下方向または左右方向に移動自在に設けられていることを特徴とする請求項１または請求項２記載の撮像装置。
【請求項４】
前記第２撮像素子は、前記第１撮像素子よりも低画素の撮像素子であることを特徴とする請求項１ないし請求項３のいずれか記載の撮像装置。
【請求項５】
前記レンズユニットが前記装着部に装着されていることを検出する検出手段と、
前記検出手段によって前記レンズユニットの装着が検出されると、前記第１撮像素子によって撮影処理を行う前に、前記第２撮像素子を制御して被写体像を撮像させ、この撮像によって取得された画像データに基づいて、撮影準備処理を実行する制御手段とを備えていることを特徴とする請求項１ないし請求項４のいずれか記載の撮像装置。
【請求項６】
前記撮影準備処理は、前記第１撮像素子に対する焦点調節処理、露出制御処理、ホワイトバランス調節処理、及びスルー画表示処理であり、前記制御手段は、前記画像データに基づいて、前記焦点調節処理、前記露出制御処理、前記ホワイトバランス調節処理、及び前記スルー画表示処理のうち少なくとも１つ以上を実行することを特徴とする請求項５記載の撮像装置。
【請求項７】
前記検出手段によって前記レンズユニットの装着が検出されると、前記制御手段は、光学ズームと電子ズームとを組み合わせて、前記第１撮像素子の撮像画像と略等しい画角のスルー画を表示手段に表示させることを特徴とする請求項５または請求項６記載の撮像装置。
【請求項８】
前記検出手段によって前記レンズユニットの装着が検出され、動画撮影を実行する場合、前記制御手段は、前記第２撮像素子を制御して撮影処理を行うことを特徴とする請求項５ないし請求項７のいずれか記載の撮像装置。
【請求項９】
前記撮像装置本体には、記録媒体が着脱自在に装填される装填される装填部が２個以上設けられており、これらの装填部のいずれか１つに装填された前記記録媒体に動画データが記録されることを特徴とする請求項１ないし請求項８のいずれか記載の撮像装置。
【請求項１０】
前記装着部には、前記レンズユニットが装着された時に前記レンズマウントの接点と接触する接点と、前記接点を覆う遮蔽位置と前記接点から退避する退避位置との間で移動自在な遮蔽部材とが設けられており、前記遮蔽部材は、前記レンズユニットが装着されたと同時に、前記遮蔽位置から前記退避位置に移動されることを特徴とする請求項１ないし請求項９のいずれか記載の撮像装置。
【請求項１１】
前記レンズユニット内には前記第１撮像素子が複数配置され、被写体光束を分光して前記第１撮像素子の各々に導く光学部材が設けられていることを特徴とする請求項１ないし請求項１０のいずれか記載の撮像装置。
【発明の詳細な説明】
【技術分野】
【０００１】
本発明は、撮影レンズ及び撮像素子を有する交換式のレンズユニットが着脱自在に装着される装着部を備えた撮像装置に関する。
【背景技術】
【０００２】
近年、ＣＣＤ等の撮像素子によって撮像された画像データをメモリカード等の記憶手段に記憶させるデジタルカメラ（撮像装置）が一般に利用されている。また、交換レンズが着脱自在に装着される装着部（マウント部）を備えたデジタルカメラも知られている。しかし、交換レンズを着脱可能なデジタルカメラでは、マウント部に開口が形成されているため、カメラ本体内に埃等が入り、撮像素子やその周辺の部品に埃が付着して撮影画像の画質が劣化するという問題があった。
【０００３】
このような問題を解決するために、交換レンズ内に撮像素子を一体に収納するレンズユニットが着脱自在に装着されるデジタルカメラが知られている（例えば、特許文献１参照）。
【特許文献１】特開２００４−１０９９７０号公報
【発明の開示】
【発明が解決しようとする課題】
【０００４】
しかしながら、上記特許文献１に記載されているように、レンズユニットが着脱自在に装着されるデジタルカメラでは、レンズユニットがカメラ本体に装着されていない状態では、撮影を行うことが出来ない。このため、不意に撮影を行いたいと思っても、レンズユニットを装着する必要があるため、シャッタチャンスを逃してしまうという問題があった。
【０００５】
本発明は上記事情に鑑みてなされたものであり、レンズユニットが装着されていない場合でも撮影可能な撮像装置を提供することを目的とする。
【課題を解決するための手段】
【０００６】
上記課題を解決するために、本発明の撮像装置は、第１撮影レンズ及び第１撮像素子を有する交換式のレンズユニットが着脱自在に装着される装着部を備えた撮像装置であり、前記装着部の近傍に配置され、撮像装置本体の外部に露呈された第２撮影レンズと、前記第２撮影レンズによって結像された被写体像を撮像する第２撮像素子とを備えていることを特徴とするものである。
【０００７】
また、前記第２撮影レンズは、前記装着部よりも上方または左右の近傍に配置されていることが好ましい。さらに、前記第２撮影レンズ及び前記第２撮像素子を有する撮像部が、前記撮像装置本体に対して上下方向または左右方向に移動自在に設けられていることが好ましい。
【０００８】
また、前記第２撮像素子は、前記第１撮像素子よりも低画素の撮像素子であることが好ましい。
【０００９】
さらに、前記レンズユニットが前記装着部に装着されていることを検出する検出手段と、前記検出手段によって前記レンズユニットの装着が検出されると、前記第１撮像素子によって撮影処理を行う前に、前記第２撮像素子を制御して被写体像を撮像させ、この撮像によって取得された画像データに基づいて、撮影準備処理を実行する制御手段とを備えていることが好ましい。
【００１０】
また、前記撮影準備処理は、前記第１撮像素子に対する焦点調節処理、露出制御処理、ホワイトバランス調節処理、及びスルー画表示処理であり、前記制御手段は、前記画像データに基づいて、前記焦点調節処理、前記露出制御処理、前記ホワイトバランス調節処理、及び前記スルー画表示処理のうち少なくとも１つ以上を実行することが好ましい。
【００１１】
さらに、前記検出手段によって前記レンズユニットの装着が検出されると、前記制御手段は、光学ズームと電子ズームとを組み合わせて、前記第１撮像素子の撮像画像と略等しい画角のスルー画を表示手段に表示させることが好ましい。
【００１２】
また、前記検出手段によって前記レンズユニットの装着が検出され、動画撮影を実行する場合、前記制御手段は、前記第２撮像素子を制御して撮影処理を行うことが好ましい。
【００１３】
さらに、前記撮像装置本体には、記録媒体が着脱自在に装填される装填される装填部が２個以上設けられており、これらの装填部のいずれか１つに装填された前記記録媒体に動画データが記録されることが好ましい。
【００１４】
また、前記装着部には、前記レンズユニットが装着された時に前記レンズマウントの接点と接触する接点と、前記接点を覆う遮蔽位置と前記接点から退避する退避位置との間で移動自在な遮蔽部材とが設けられており、前記遮蔽部材は、前記レンズユニットが装着されたと同時に、前記遮蔽位置から前記退避位置に移動されることが好ましい。
【００１５】
さらに、前記レンズユニット内には前記第１撮像素子が複数配置され、被写体光束を分光して前記第１撮像素子の各々に導く光学部材が設けられていることが好ましい。
【発明の効果】
【００１６】
本発明の撮像装置によれば、レンズユニットが装着される装着部の近傍に第２撮影レンズが配置され、この第２撮影レンズによって結像された被写体像を撮像する第２撮像素子がカメラ本体内に設けられている。このため、レンズユニットが装着されていない状態でも、撮影を行うことができるのでシャッタチャンスを逃すことを防止できる。また、レンズユニットが装着された場合でも、第２撮影レンズが覆われることがないので、第１撮像素子または第２撮像素子の一方を選択して撮影を行うことができる。
【００１７】
また、第２撮影レンズ及び前記第２撮像素子を有する撮像部が、撮像装置本体に対して上下方向または左右方向に移動自在に設けられているので、撮像装置本体を把持する向きを変更した場合でも、撮影操作に支障にならない位置に撮像部を移動させることが可能であり、操作性を向上させることができる。
【００１８】
さらに、第２撮像素子は、第１撮像素子よりも低画素の撮像素子であり、レンズユニットを装着部に装着して撮影を行う時に、第１撮像素子によって撮影処理を行う前に、第２撮像素子によって取得された画像データに基づいて撮影準備処理を行う。このため、撮影準備処理を行う際に、低画素の撮像素子のみが駆動されるので、消費電力を低減することができる。
【００１９】
また、レンズユニットを装着部に装着して撮影を行う場合、光学ズームと電子ズームとを組み合わせて、第１撮像素子の撮影画像と略等しい画角のスルー画を表示するので、第２撮像素子によって取得された画像データをスルー画として表示しても、撮影者は違和感なく撮影を行うことができる。
【００２０】
動画撮影時には、レンズユニットが装着されていても第２撮像素子によって撮影が行われるので、消費電力を低減することができる。
【００２１】
また、レンズユニットが装着されていない時に、装着部に設けられた接点が遮蔽部材によって覆われるので、接点に埃等が付着して接触不良が発生することを防止でくる。
【発明を実施するための最良の形態】
【００２２】
図１に示すデジタルカメラ１０は、カメラ本体１１の前面に、マウント部１２と、リリースボタン１３と、ストロボ光を被写体に向けて放射するストロボ発光部１４とが設けられ、上面には、電源ボタン１５、シャッタボタン１６、及び操作ダイヤル１７で構成される操作部１８と、撮像部１９とが設けられている。電源ボタン１５は、カメラ本体１１の電源をＯＮまたはＯＦＦにする際に、押圧操作される。シャッタボタン１６は、撮影を行う際に押圧操作される。また、操作ダイヤル１７は、静止画撮影モードと、動画撮影モードと、再生モードとを切り替える際に操作される。
【００２３】
カメラ本体１１の側面には、記録媒体であるメモリカード２０が着脱自在に装填されるメモリカードスロット（装填部）２１ａ，２１ｂが設けられている。また、図２に示すように、カメラ本体１１の背面には、画像や各種設定画面を表示する表示手段であるＬＣＤ（Liquid Crystal Display）２２と、操作部１８を構成するズーム操作ボタン３３が設けられている。このズーム操作ボタン３３は、ズーム倍率を変更する時に操作される。
【００２４】
前述のマウント部１２は、交換式のレンズユニット２３が着脱自在に装着される装着部であり、図１に示すように、中央部には凹部１２ａが設けられている。レンズユニット２３内には、撮影レンズ（第１撮影レンズ）２４と、この撮影レンズ２４によって結像された被写体像を撮像する撮像素子であるＣＣＤ（第１撮像素子）２５とが設けられている。この撮影レンズ２４の少なくとも一部は、レンズユニット２３の前面側に露呈されている。
【００２５】
また、レンズユニット２３の背面側には、マウント部２６が設けられている。レンズユニット２３をカメラ本体１１に装着する場合、マウント部２６を凹部１２ａに挿入することによって装着される。また、このレンズユニット２３としては、撮影レンズの焦点距離が異なるものや、ＣＣＤの画素数が異なるものや、モノクロ撮影が可能なもの、赤外線撮影が可能なもの等の複数種類のレンズユニットが用意される。撮影者は、これらのレンズユニットから所望のレンズユニットを選択して、デジタルカメラ１０に装着する。
【００２６】
また、凹部１２ａには、マウント接点２７と、バリア２８と、ロックピン２９が設けられている。マウント接点２７は、レンズユニット２３がマウント部１２に装着された時に、マウント部２６の背面に形成されたマウント接点１０５（図７参照）と接触する。これにより、レンズユニット２３がデジタルカメラ１０と電気的に接続される。
【００２７】
バリア２８は、レンズユニット２３がカメラ本体１１に装着されていない時に、マウント接点２７を覆って埃等の汚れが付着することを防止する遮蔽部材である。ロックピン２９は、レンズユニット２３がカメラ本体１１に装着された時に、マウント部２６の背面に形成された係合孔（図示せず）と係合して、レンズユニット２３がマウント部１２から外れることを防止する。また、レンズユニット２３がカメラ本体１１に装着されている時に、リリースボタン１３が押圧操作されると、この係合が解除され、レンズユニット２３の取り外しが可能となる。
【００２８】
撮像部１９は、撮影レンズ（第２撮影レンズ）３１と、この撮影レンズ３１によって結像された被写体像を撮像する撮像素子であるＣＣＤ（第２撮像素子）３２とを備えている。このＣＣＤ３２としては、ＣＣＤ２５よりも低画素のＣＣＤが用いられており、ＣＣＤ２５よりも消費電力が少ない。また、撮影レンズ３１は、撮像部１９の前面に露呈されている。
【００２９】
この撮像部１９は、図３（Ａ）及び図３（Ｂ）に示すように、カメラ本体１１に対して上下及び左右に移動自在に設けられている。このため、カメラ本体１１を把持する向きを変更した場合でも、撮像部１９を撮影者の操作に支障にならない位置に移動させることが可能であり、操作性を向上させることができる。
【００３０】
また、マウント部１２には、凹部１２ａよりも上方に検出ピン３０が設けられている。この検出ピン３０は、レンズユニット２３がカメラ本体１１に装着された時に、レンズユニット２３の背面によって押圧されて、マウント部１２の内部に押し込まれる。
【００３１】
図４に示すように、マウント部１２内には、検出スイッチ４０が設けられている。この検出スイッチ４０は、レンズユニット２３がカメラ本体１１に装着されていることを検出する検出手段である。この検出スイッチ４０は、スイッチ本体４１と、導電性を有する２本の接片４２ａ，４２ｂとで構成されている。これらの接片４２ａ，４２ｂの一端は、スイッチ本体４１と接続されており、互いに接触しない状態で配置されている。スイッチ本体４１は、２つの接片４２ａ，４２ｂが互いに接触して導通した時に、検出信号であるＯＮ信号を出力する。
【００３２】
検出ピン３０は、マウント部１２に形成された開口４４から先端側が外部に突出するように配置されており、後端側は、連結板４５によってピン４６と連結されている。このピン４６には、バネ４７が挿通される。このバネ４７は、連結板４５と、マウント部１２の内壁に形成された押さえ板４８との間に配置される。また、この押さえ板４８には、開口４８ａが形成されており、ピン４６の先端部が挿通されている。前述の検出スイッチ４０は、接片４２ａの先端がピン４６の先端部と隣接するように配置されている。
【００３３】
レンズユニット２３がカメラ本体１１に装着されていない状態では、検出ピン３０は、レンズユニット２３の背面によって押圧されないので、マウント部１２内に押し込まれない。つまり、接片４２ａは、ピン４６の先端部によって押圧されない。このため、図３（Ａ）に示すように、接片４２ａ，４２ｂは、互いに接触しないため、スイッチ本体４１からはＯＮ信号が出力されない。
【００３４】
また、レンズユニット２３をカメラ本体１１に装着するために、レンズユニット２３を凹部１２ａに挿入すると、検出ピン３０は、バネ４７の付勢力に抗して、マウント部１２内に押し込まれる。このため、接片４２ａは、ピン４６の先端部によって押圧され、図３（Ｂ）に示すように、接片４２ａと接片４２ｂとが接触する。この時、スイッチ本体４１からＯＮ信号が出力される。
【００３５】
前述したように、凹部１２ａには、マウント接点２７を覆うバリア２８が設けられている。図５に示すように、バリア２８は、マウント接点２７を覆う遮蔽部２８ａと、ギア部２８ｂと、これらを連結する連結部２８ｃとで構成されている。ギア部２８ｂの中央には、回転軸２８ｄが設けられており、マウント部１２によってバリア２８が回転自在に保持されている。
【００３６】
ギア部２８ｂは、モータ５０によって回転駆動されるギア５１と噛合しており、モータ５０によってバリア２８が回転される。このバリア２８は、マウント接点２７を遮蔽する遮蔽位置（図５（Ａ）に示す位置）と、凹部１２ａから退避する退避位置（図５（Ｂ））との間で回転される。このバリア２８は、前述の検出スイッチ４０によってレンズユニット２３の装着が検出された時に、遮蔽位置から退避位置に移動する。
【００３７】
次に、デジタルカメラ１０の電気的構成について説明する。図６に示すように、デジタルカメラ１０には、カメラ本体１１内の各部を制御する制御手段である制御部６０が設けられている。制御部６０は、各部を制御する制御プログラムが記憶されたＲＯＭと、作業用データを一時的に記憶するＲＡＭとを備えている。制御部６０は、この制御プログラムに基づいて各部を制御する。
【００３８】
制御部６０は、モータドライバ６１を介してモータ６２に接続されており、さらに、モータドライバ６３を介してモータ６４に接続されている。モータ制御部６０は、モータドライバ６１を制御してモータ６２を駆動し、同様に、モータドライバ６３を制御してモータ６４を駆動する。撮影レンズ３１は、ズームレンズ６５、及びフォーカスレンズ６６を備えて構成されている。ズームレンズ６５は、モータ６２によって光軸方向に進退移動されて、ズーム倍率が変更される。また、フォーカスレンズ６６は、モータ６４によって光軸方向に進退移動されて、焦点調節が行われる。
【００３９】
ＣＣＤ３２は、これらのレンズ６５，６６の背後に配置されており、ＣＣＤドライバ６７を介して制御部６０に接続されている。制御部６０は、ＣＣＤドライバ６７を制御することによりＣＣＤ３２を駆動する。ＣＣＤ３２は、光電変換により被写体像を電気信号に変換して、アナログ信号である画像データを取得する。
【００４０】
このＣＣＤ３２は、アナログ信号処理部６８と接続されており、ＣＣＤ３２によって撮像された画像データがアナログ信号処理部６８に出力される。このアナログ信号処理部６８は、データバス６９を介して制御部６０に接続されており、制御部６０によって制御される。
【００４１】
アナログ信号処理部６８は、相関二重サンプリング回路（ＣＤＳ）や、増幅器（ＡＭＰ）等を備えて構成されており、ＣＤＳによって画像データのノイズが除去された後、ＡＭＰによって増幅される。このアナログ信号処理部６８は、Ａ／Ｄ変換器７０に画像データを出力する。Ａ／Ｄ変換器７０は、画像データをアナログ信号からデジタル信号に変換して、ＡＦ検出回路７１、ＡＥ／ＡＷＢ検出回路７２、及びデジタル信号処理部７３に画像データを出力する。
【００４２】
ＡＦ検出回路７１は、制御部６０によって制御され、画像データの高周波成分の振幅値が最大となる合焦位置を検出してＡＦ検出値を制御部６０に出力する。また、ＡＥ／ＡＷＢ検出回路７２は、露出量、すなわち電子シャッタのシャッタ速度が最適となるＡＥ検出値と、ホワイトバランスが最適となるＡＷＢ検出値とを検出して、制御部６０に出力する。
【００４３】
各検出回路７２，７３は、シャッタボタン１６の半押し時に、各検出値を制御部６０に逐次送信する。制御部６０は、各検出回路７２，７３から取得した検出値に基づいて、フォーカスレンズ６６、及びＣＣＤ３２の動作を制御する。
【００４４】
デジタル信号処理部７３は、データバス６９を介してメモリ７４が接続されており、画像データをメモリ７４に記憶させる。デジタル信号処理部７３は、画像データがメモリ７４に記憶されている時に、画像データに対して階調変換、ホワイトバランス補正、γ補正等の各種画像処理と、ＹＣ変換処理とを施す。
【００４５】
撮影モードにおいて、デジタル信号処理部７３は、撮影処理が実行される前に、画像データに対して簡易な画像処理と簡易なＹＣ処理とを施して、ＬＣＤドライバ７５に出力する。制御部６０は、ＬＣＤドライバ７５を制御して画像データをＬＣＤ２２にスルー画として表示させる。
【００４６】
また、撮影処理が実行された時に、デジタル信号処理部７３は、画像データに対して画像処理、ＹＣ変換処理、及び圧縮処理等を施す。圧縮処理は、静止画撮影の場合は、ＪＰＥＧ方式で行い、動画撮影の場合は、ＭＰＥＧ方式で行う。
【００４７】
また、制御部６０は、メディアコントローラ７６ａ，７６ｂに接続されている。メディアコントローラ７６ａは、メモリカードスロット２１ａに装填されたメモリカード２０に接続され、メディアコントローラ７６ｂは、メモリカードスロット２１ｂに装填されたメモリカード２０と接続される。
【００４８】
制御部６０は、静止画データを記録する場合、メディアコントローラ７６ａを制御して、静止画データをメモリカード２０に記録させ、動画データを記録する場合、メディアコントローラ７６ｂを制御して、動画データをメモリカード２０に記録させる。
【００４９】
また、再生モードでは、制御部６０が、メディアコントローラ７６を制御して、メモリカード２０に記録された静止画データまたは動画データを読み出し、デジタル信号処理部７３によって伸張処理が施される。その後、静止画データまたは動画データがＬＣＤ２２に再生画像として表示される。
【００５０】
また、このデジタル信号処理部７３は、デジタル信号に変換された画像データをレンズユニット２３から取得した際にも同様に、スルー画表示処理及び撮影処理を実行する。
【００５１】
また、制御部６０には、操作部１８、検出スイッチ４０、モータドライバ７７、及びストロボ制御部７８が接続されている。制御部６０は、操作部１８から各種操作信号を取得して、各操作信号に対応する処理を実行する。
【００５２】
また、制御部６０は、検出スイッチ４０からＯＮ信号を取得した時に、カメラ本体１１にレンズユニット２３が装着されていると判定する。制御部６０は、検出スイッチ４０からＯＮ信号を取得した時に、モータドライバ７７を制御して、バリア２８を遮蔽位置（図５（Ａ）に示す位置）から退避位置（図５（Ｂ）に示す位置）に移動させる。また、ＯＮ信号が取得されない状態では、バリア２８は、常に遮蔽位置（図５（Ａ）に示す位置）にある。
【００５３】
ストロボ制御部７８には、ストロボ発光部１４が接続されている。制御部６０は、ストロボ制御部１４を制御することにより、ストロボ発光部１４を発光させる。
【００５４】
また、制御部６０には、データバス６９を介して、シリアルドライバ８０及び電源制御部８１が接続されている。制御部６０は、シリアルドライバ８０を制御し、マウント接点２７を介して、レンズユニット２３との間で各種操作信号や画像データの送受信を行う。
【００５５】
電源制御部８１は、バッテリ８２に接続されている。この電源制御部８１は、制御部６０によって制御され、バッテリ８２の出力電圧を所定電圧に変圧し、デジタルカメラ１０内の各部に給電を行う。また、電源制御部８１は、マウント接点２７と接続されており、マウント接点２７を介してレンズユニット２３に対して給電を行う。
【００５６】
次に、レンズユニット２３の電気的構成を説明する。図７に示すように、レンズユニット２３には、ユニット内の各部を制御するユニット制御部９０が設けられている。ユニット制御部９０は、各部を制御する制御プログラムが記憶されたＲＯＭと、作業用データを一時的に記憶するＲＡＭとを備えている。ユニット制御部９０は、この制御プログラムに基づいて各部を制御する。
【００５７】
ユニット制御部９０には、モータドライバ９１，９２が接続されている。モータドライバ９１は、モータ９３に接続されており、モータドライバ９２は、モータ９４に接続されている。ユニット制御部９０は、モータドライバ９１を制御してモータ９３を駆動し、さらに、モータドライバ９２を制御してモータ９４を駆動する。
【００５８】
撮影レンズ２４は、ズームレンズ９５と、フォーカスレンズ９６とを備えて構成されている。ズームレンズ９５は、モータ９３によって駆動されて光軸に沿って進退移動し、ズーム倍率が変更される。また、フォーカスレンズ９６は、モータ９４によって駆動されて光軸に沿って進退移動し、焦点調節が行われる。
【００５９】
また、ユニット制御部９０には、ＣＣＤドライバ９７を介してＣＣＤ２５が接続されている。ユニット制御部９０は、ＣＣＤドライバ９７を制御することによりＣＣＤ２５を駆動する。ＣＣＤ２５は、光電変換により被写体像を電気信号に変換して、アナログ信号である画像データを取得する。さらに、このＣＣＤ２５は、アナログ信号処理部９９と接続されており、ＣＣＤ２５によって撮像された画像データがアナログ信号処理部９９に出力される。このアナログ信号処理部９９は、データバス１００を介してユニット制御部９０に接続されており、ユニット制御部９０によって制御される。
【００６０】
アナログ信号処理部９９は、相関二重サンプリング回路（ＣＤＳ）や、増幅器（ＡＭＰ）等を備えて構成されており、ＣＤＳによって画像データのノイズが除去された後、ＡＭＰによって増幅される。このアナログ信号処理部９９は、Ａ／Ｄ変換器１０１に画像データを出力する。Ａ／Ｄ変換器１０１は、画像データをアナログ信号からデジタル信号に変換する。
【００６１】
また、ユニット制御部９０には、データバス１００を介して、シリアルドライバ１０３及び電源制御部１０４が接続されている。ユニット制御部９０は、シリアルドライバ１０３を制御し、マウント部２６の背面に設けられたマウント接点１０５を介して、デジタルカメラ１０との間で各種操作信号や画像データの送受信を行う。つまり、ユニット制御部９０は、シリアルドライバ１０３を制御して、Ａ／Ｄ変換器１０１によってデジタル信号化された画像データをデジタルカメラ１０に出力する。
【００６２】
また、電源制御部１０４は、マウント接点１０５に接続されている。電源制御部１０４は、マウント接点１０５及びマウント接点２７を介して、電源制御部８１から給電される。ユニット制御部９０は、電源制御部１０４を制御してレンズユニット２３内の各部に給電させる。
【００６３】
ユニット制御部９０は、マウント接点２７，１０５を介して、制御部６０から制御信号を取得し、この制御信号に基づいてユニット内の各部を制御する。
【００６４】
次に、上記構成のデジタルカメラ１０の撮影処理を図８のフローチャートを用いて説明する。この撮影処理の説明では、静止画撮影モードに設定されている場合を例に説明する。デジタルカメラ１０が静止画撮影モードに設定されると、制御部６０は、ＣＣＤドライバ６７を制御することにより、ＣＣＤ３２を駆動する。
【００６５】
制御部３２は、検出スイッチ４０からＯＮ信号が出力されているか否かを判定する。最初に、ＯＮ信号が出力されていると判定された場合について説明する。ＯＮ信号が出力されている場合、すなわち、レンズユニット２３がカメラ本体１１に装着されている場合、制御部６０は、ＬＣＤドライバ７５を制御して、ＣＣＤ３２によって撮像された画像データをＬＣＤ２２にスルー画として表示する。
【００６６】
なお、このスルー画は、光学ズームと電子ズームとの組み合わせによって、レンズユニット２３によって撮像される画像の画角と略等しくされている。つまり、制御部６０は、レンズユニット２３からズームレンズ９５の位置情報を取得し、この位置情報に基づいて、ズームレンズの位置を調節して光学ズーム倍率を変更し、さらに、デジタル信号処理部７３を制御して電子ズーム倍率を変更する。
【００６７】
その後、制御部６０は、シャッタボタン１６が半押しにされているか否かを判定する。シャッタボタン１６が半押しにされていないと判定された場合、半押しにされるまで待機状態となる。シャッタボタン１６が半押しにされていると判定された場合、制御部６０は、ＡＦ検出回路７１及びＡＥ／ＡＷＢ検出回路７２を制御し、ＣＣＤ３２によって撮像された画像データに基づいて、ＡＦ検出値、ＡＥ検出値、及びＡＷＢ検出値を検出させる。
【００６８】
制御部６０は、これらの検出値に基づいてレンズユニット２３を制御し、焦点調節処理や、露出制御処理等を行う。その後、制御部６０は、シャッタボタン１６が全押しされたか否かを判定する。シャッタボタン１６が全押しされていないと判定された場合、全押しされるまで待機状態となる。
【００６９】
シャッタボタン１６が全押しされたと判定された場合、制御部６０は、ＣＣＤ２５によって画像データを取得させ、この画像データをメモリカード２０に記録させる。これにより、撮影処理が終了する。
【００７０】
次に、ＯＮ信号が出力されていない場合、すなわち、レンズユニット２３がカメラ本体１１に装着されていない場合について説明する。制御部６０は、ＬＣＤドライバ７５を制御して、ＣＣＤ３２によって撮像された画像データをＬＣＤ２２にスルー画として表示する。この時、スルー画の画角調整は行わない。
【００７１】
その後、制御部６０は、シャッタボタン１６が半押しにされているか否かを判定する。シャッタボタン１６が半押しにされていないと判定された場合、半押しにされるまで待機状態となる。シャッタボタン１６が半押しにされていると判定された場合、制御部６０は、ＡＦ検出回路７１及びＡＥ／ＡＷＢ検出回路７２を制御し、ＣＣＤ３２によって撮像された画像データに基づいて、ＡＦ検出値、ＡＥ検出値、及びＡＷＢ検出値を検出させる。
【００７２】
制御部６０は、これらの検出値に基づいて撮像部１９を制御し、焦点調節処理や、露出制御処理等を行う。その後、制御部６０は、シャッタボタン１６が全押しされたか否かを判定する。シャッタボタン１６が全押しされていないと判定された場合、全押しにされるまで待機状態となる。
【００７３】
シャッタボタン１６が全押しされたと判定された場合、制御部６０は、ＣＣＤ３２によって画像データを取得させ、この画像データをメモリカード２０に記録させる。これにより、撮影処理が終了する。
【００７４】
以上、静止画撮影モードでの撮影処理について説明を行ったが、動画撮影モードでは、レンズユニット２３の装着、非装着に関係なく、ＣＣＤ３２のみを使用して撮影処理を行う。その他の処理は、静止画撮影モードと同様であるので詳しい説明を省略する。
【００７５】
次に、レンズユニット２３の変形例について説明する。図９に示すレンズユニット１１０は、撮影レンズ１１１と、ハーフプリズム１１２と、ＣＣＤ１１３と、ＣＣＤ１１４とを備えている。撮影レンズ１１１は、第１〜第４群レンズ１１１ａ〜１１１ｄを備えて構成されている。第２群レンズ１１１ｂは、ズーミング用のレンズであり、光軸Ｌ１に沿って進退移動される。また、第４群レンズ１１１ｄは、フォーカシング用のレンズであり、同様に、光軸Ｌ１に沿って進退移動される。
【００７６】
ハーフプリズム１１２は、撮影レンズ１１１を透過した被写体光束を二方向に分離させる光学部材であり、被写体光束を透過光と、略直角に反射された反射光とに分離する。また、ハーフプリズム１１２の背面側には、透過光の光路上（光軸Ｌ１上）にＣＣＤ１１３が配置されており、下面側には、反射光の光路上（略直角に屈曲された光軸Ｌ２上）にＣＣＤ１１４が配置されている。
【００７７】
ＣＣＤ１１３は撮影時に使用され、ＣＣＤ１１４は撮影準備処理時に使用される。つまり、ＣＣＤ１１４は、ＡＦ検出、ＡＥ検出、及びＡＷＢ検出用の画像データの出力や、スルー画像のデータを出力するために使用される。ＣＣＤ１１４によって撮像された画像データは、デジタル信号に変換された後、デジタルカメラ１０内のＡＦ検出回路７１、ＡＥ／ＡＷＢ検出回路７２に出力される。また、ＡＦ検出回路及びＡＥ／ＡＷＢ検出回路をレンズユニット１１０内に設け、これらに画像データを出力しても良い。
【００７８】
なお、レンズユニット１１０において、ハーフプリズム１１２とＣＣＤ１１４との間に、ＣＣＤ１１３との間で像を合わせるためのレンズを設けても良い。さらに、光学部材としてハーフプリズムを用いる場合を例に説明したが、これに限るものではなく、例えば、ハーフミラーを用いても良い。
【００７９】
このように、レンズユニット内に２個のＣＣＤを設けても良い。また、ＣＣＤの数は２個に限らず、３個以上設けても良く、例えば、入射光をプリズムで３原色に分解し、それぞれの光を別のＣＣＤで撮像する３ＣＣＤ方式にしても良い。
【００８０】
なお、上記実施形態において、第２撮影レンズを装着部の上方に配置した場合を例に説明したが、これに限るものではなく、装着部の左右近傍に配置しても良い。また、撮像部をカメラ本体に移動自在に設ける場合を例に説明したが、撮像部をカメラ本体に固定しても良い。
【００８１】
さらに、上記実施形態において、記憶媒体が着脱自在に装填される装填部を撮像装置に２個設ける場合を例に説明したが、これに限るものではなく、装填部を撮像装置に１個設けても良いし、３個以上設けても良い。装填部を１個だけ設ける場合には、１つの記憶媒体に静止画データ及び動画データの両方を記録すれば良い。
【００８２】
また、上記実施形態において、検出ピンの先端部を装着部から突出するように設け、検出ピンが装着部内に押し込まれた時に、レンズユニットの装着を検出するように説明したが、これに限るものではなく、例えば、撮像装置本体側のマウント接点と、レンズユニット側のマウント接点とが接触して導通した時に、レンズユニットが撮像装置本体に装着されていることを検出しても良い。
【００８３】
さらに、上記実施形態において、撮像素子としてＣＣＤを用いる場合を例に説明したが、これに限るものではなく、例えば、ＣＭＯＳイメージセンサを用いても良い。また、上記実施形態において、撮像装置としてデジタルカメラを例に説明したが、これに限るものではなく、例えば、デジタルビデオカメラ等に本発明を適用しても良い。
【図面の簡単な説明】
【００８４】
【図１】デジタルカメラの前面側の構成を示す斜視図である。
【図２】デジタルカメラの背面側の構成を示す斜視図である。
【図３】撮像部の移動方向を示す説明図である。
【図４】検出スイッチの作用を示す説明図である。
【図５】バリアの作用を示す説明図である。
【図６】デジタルカメラの電気的構成を示すブロック図である。
【図７】レンズユニットの電気的構成を示すブロック図である。
【図８】デジタルカメラの撮影処理を説明するフローチャートである。
【図９】レンズユニットの変形例の構成を示す側面概略図である。
【符号の説明】
【００８５】
１０  デジタルカメラ
１１  カメラ本体
１２  マウント部
１９  撮像部
２０  メモリカード
２３，１１０  レンズユニット
２４，３１，１１１  撮影レンズ
２８  バリア
３０  検出ピン
４０  検出スイッチ
２５，３２，１１３，１１４  ＣＣＤ
６０  制御部
１１２  ハーフプリズム
【図１】
2006246224.tif 000003
【図２】
2006246224.tif 000004
【図３】
2006246224.tif 000005
【図４】
2006246224.tif 000006
【図５】
2006246224.tif 000007
【図６】
2006246224.tif 000008
【図７】
2006246224.tif 000009
【図８】
2006246224.tif 000010
【図９】
2006246224.tif 000011